(57)【要約】      （修正有）【課題】デザイン的にも、日常生活で履くのに不都合がなく、いざというときには被災地で安全に活動できる十分なスペックを有し、かつ災害時以外にもアクティブな活動を足元から支える活動性に富んだ靴を提供する。【解決手段】安全靴のＪＩＳ規格（ＪＩＳ  Ｔ８１０１：２００６）を満たす革製の袋ベロ６構造を有する編上げ靴であって、前記編上げ靴はさらに付加的性能として安全靴のＪＩＳ規格（ＪＩＳ  Ｔ８１０１：２００６）記載の耐踏抜き性、および踵部の衝撃エネルギー吸収性を併せ持っており、前記編上げ靴の開口部には撥水あるいは防水性能を有したフード２を取り付け、前記フードは装着時膝下までの長さを有することを特徴とする。【選択図】図１
0003163772.tif 000002
【実用新案登録請求の範囲】
【請求項１】
安全靴のＪＩＳ規格（ＪＩＳ  Ｔ８１０１：２００６）を満たす革製の袋ベロ構造を有する編上げ靴であって、前記編上げ靴はさらに付加的性能として安全靴のＪＩＳ規格（ＪＩＳ  Ｔ８１０１：２００６）を満たす耐踏抜き性、および踵部の衝撃エネルギー吸収性を併せ持っており、前記編上げ靴の開口部には撥水あるいは防水性能を有したフードを取り付け、前記フードは装着時膝下までの長さを有することを特徴とする靴。
【請求項２】
前記フードは織布製であることを特徴とする請求項１に記載の靴。
【請求項３】
前記編上げ靴の筒部、あるいは市革部、月型部、フード部のいずれかに反射材を縫い付け安全のための視認性を高めることができるようにしたことを特徴とする請求項１または請求項２に記載の靴。
【請求項４】
前記編上げ靴の編上げ部は、紐またはバンドを備えそれらにより編上げ部が被装着者の足にフィットするべく構成されていることを特徴とする請求項１〜請求項３のいずれかに記載の靴。
【考案の詳細な説明】
【技術分野】
【０００１】
本考案は、長編上げ靴を必要とする自衛隊・消防隊・警察官・災害救助隊向けのプロユース製品ではなく、一般市民が地震等の災害時に被災地で安全に活動できる十分なスペックを有し、かつ災害時以外にもアクティブな活動を足元から支えることが可能な活動性にすぐれた靴に関するものである。
【背景技術】
【０００２】
地震等の災害時に被災地で安全に活動できる靴としては、長編上げタイプの安全靴がプロユース製品として使われている。しかし、一般市民がそういった長編上げタイプの安全靴を常備している例はほとんどない。また、長編上げ靴はふくらはぎ部まで保護されており安全性は高いが、靴としては脱ぎ履きが面倒であり、デザイン的にも重厚で一般的に日常生活で履くには不適であることが多い。
【０００３】
また、従来技術として脚筒部を着脱可能としたり、フード状のものを一体化した靴はいままでにも提案されている（特許文献１〜５）。
【０００４】
【特許文献１】特開２０００−３７２０２
【特許文献２】特開昭５９−１６４５０１
【特許文献３】実用新案登録第３１１８０３５号
【特許文献４】実開昭５９−５０３０３号
【０００５】
これらの文献のうち、特許文献１はシューズの開口部に伸縮自在の筒状の部材を収納可能に備えたブーツであり、特許文献２は長靴の胴部外周に伸長布の一端を固着し、他端に止具を設け折り畳んだ伸長布を長靴の上部に設けた覆包部で覆った長靴であり、特許文献３は脚筒部の高さを自在に調節することにより、足首部分から侵入する外気を調整できる靴であり、特許文献４は短靴、登山靴、スパッツの三つの機能を全て備えた登山靴である。
しかし上記夫々の靴は、あくまでファッション性が主体であり、地震等の災害時に被災地で安全に活動できる安全性を重視した提案はなされていない。
【考案の開示】
【考案が解決しようとする課題】
【０００６】
そこで、本考案は、デザイン的にも、日常生活で履くのに不都合がなく、いざというときには被災地で安全に活動できる十分なスペックを有し、かつ災害時以外にもアクティブな活動を足元から支える活動性に富んだ靴を提案せんとするものである。
【課題を解決するための手段】
【０００７】
このため、本考案が採用した技術解決手段は、
安全靴のＪＩＳ規格（ＪＩＳ  Ｔ８１０１：２００６）を満たす革製の袋ベロ構造を有する編上げ靴であって、前記編上げ靴はさらに付加的性能として安全靴のＪＩＳ規格（ＪＩＳ  Ｔ８１０１：２００６）を満たす耐踏抜き性、および踵部の衝撃エネルギー吸収性を併せ持っており、前記編上げ靴の開口部には撥水あるいは防水性能を有したフードを取り付け、前記フードは装着時膝下までの長さを有することを特徴とする靴である。
また、前記フードは織布製であることを特徴とする靴である。
また、前記編上げ靴の筒部、あるいは市革部、月型部、フード部のいずれかに反射材を縫い付け安全のための視認性を高めることができるようにしたことを特徴とする靴である。また、前記編上げ靴の編上げ部は、紐またはバンドを備えそれらにより編上げ部が被装着者の足にフィットするべく構成されていることを特徴とする靴である。
【考案の効果】
【０００８】
本考案によれば、安全靴のＪＩＳ規格、Ｔ８１０１：２００６に適合する編上げ安全靴にフードを一体的に具備した構造とすることにより、日常生活において履いても支障なく、地震等の災害時あるいは野外活動時にはフードを上げて簡易的な長編み上げタイプの靴とすることができ、より広範囲での活動を可能とすることができる。
【考案を実施するための最良の形態】
【０００９】
安全靴のＪＩＳ規格、Ｔ８１０１：２００６の安全靴の規格を満たす革製の袋ベロ構造を有する編上げ靴であって、前記編上げ靴はさらに付加的性能としてＪＩＳ  Ｔ８１０１：２００６記載の耐踏抜き性、および踵部の衝撃エネルギー吸収性を併せ持っており、前記編上げ靴の開口部には撥水あるいは防水性能を有した織布製のフードを取り付け、前記フードは装着時膝下までの長さを有することを特徴とする靴である。
【実施例】
【００１０】
以下本考案の第１実施例を図面に基づいて説明すると、図１（イ）は本考案の靴の側面図および（ロ）は靴先端部の断面図、図２は、本考案のフード部を下方に折り曲げて使用する場合の説明図である。
図１に示す靴は安全靴のＪＩＳ規格（ＪＩＳ  Ｔ８１０１：２００６）に適合する袋ベロ構造を有する編上げの革性安全靴であり、さらに付加性能として安全靴のＪＩＳ規格（ＪＩＳ  Ｔ８１０１：２００６）に適合する耐踏抜き性、および踵部の衝撃エネルギー吸収性を併せ持っている。なお図１（イ）中、符号５は靴の側面部、７はフード部に取り付けた反射材である。この反射材は、図の位置に限らず、反射機能を達成できる部位であればどこにでも取り付けることができる。
【００１１】
靴は前方に編上げ部９および袋ベロ６を備えており、従来公知の靴と同様にこの編上げ部の紐８を締め付けることにより、靴を足にフィットさせることができる。編上げ部９は紐式、バンド式など採用することができる。ここで編上げ靴とは、踝上からふくらはぎ下までのいずれかの履き口高さを有する靴のことであり、紐式、バンド式は問わない。
【００１２】
また靴の底部、側面部の構造は従来の靴と同様であり、本考案の特徴部ではないので更なる詳細な説明は省略する。
靴の先端部には図１（ロ）断面図に示すように靴底に踏み抜き防止板４、先芯３が備えられており、重量物の落下に対する安全性、クギ等の踏み抜きに対する安全性を確保できるようになっている。また踵部は従来公知の靴と同様に衝撃エネルギー吸収性を有している。
【００１３】
靴の開口部には、撥水あるいは防水性能を有した織布製の膝下までのフード２が一体的に具備されている。前記フード２の上部は図に示すようにフード開口部を締めることができるフード紐１が設けられており、このフード２を図１に示すように上方に上げた状態でこのフード紐１を締めることにより、フードを膝下まで持ち上げた状態で使用できる。なお、フードは織布製に限定されることなく、同様の機能を達成できる材料であれば他の材料を使用することも可能である。
【００１４】
本考案に係る靴は、日常的に履く場合は図２に示すようにフード２を折り曲げて下げた状態で使用するが、必要に応じて筒部の内側に収納して履くこともできる。
【００１５】
本考案の編上げ靴は、紐あるいはバンドにより足をより靴とフィットさせる構造となっており、アクティブな活動をしても簡単に脱げたりしない構造となっている。袋ベロ構造６と撥水あるいは防水性をもつフード２を併用することにより、フード２を上げた状態では靴内への容易な水・砂・泥の侵入を防止することができる。また、日常生活においてはフードを上げることにより雨の日の水跳ねによるズボン等の汚れ防止や積雪地での歩行に際して靴内への雪の侵入を防止することができる。草地での草刈り作業等においても草や植物の種等の靴内への侵入を防止することができる。地震等のいざという災害時においても靴内への異物の侵入防止に加えて耐踏抜き性も備えているため、安全に活動できる。
【００１６】
以上本考案について、種々の実施形態を示したが、フードの形状、デザイン、編上げ用の紐の取り付け方、等は適宜変更することができることは当然であり、さらに、本考案はその精神また主要な特徴から逸脱することなく、他の色々な形で実施することができる。このため前述の実施例は単なる例示に過ぎず、限定的に解釈してはならない。更に実用新案登録請求の範囲の均等範囲に属する変形や変更は全て本考案の範囲内のものである。
【産業上の利用可能性】
【００１７】
本考案は、一般市民が地震等の災害時に被災地で安全に活動できる十分なスペックを有し、かつ災害時以外にもアクティブな活動を足元から支えることが可能な活動性にすぐれた靴として利用することができる。
【図面の簡単な説明】
【００１８】
【図１】本考案の第１実施例に係る靴の側面図および靴先端部の断面図である。
【図２】本考案の第１実施例のフードを折り畳んで使用する状態の側面図である。
【符号の説明】
【００１９】
１        フード紐
２        フード
３        先芯
４        踏み抜き防止板
５        靴の側面部
６        袋ベロ
７        反射材
８        紐
９        編上げ部
【図１】
0003163772.tif 000003
【図２】
0003163772.tif 000004